(57)【要約】【課題】  シュレッダーダストからプラスチック類、ゴム類、裁断線類、アルミニウム、及び非鉄金属類を効率的に、かつ精度よく選別して回収することが可能なシュレッダーダストの処理方法及びその設備を提供する。【解決手段】  シュレッダーダストを篩分装置１１で処理して、粒径が５〜１００ｍｍの塊状ダストを選別する第１工程と、塊状ダストを水選別手段１２で処理して、浮遊する軽プラスチック類を主体とする軽量ダストと、沈降するプラスチック類、ゴム類、基板類、及び金属類を主体とする重量ダストを分離する第２工程と、重量ダストを少なくとも異なる２つの比重の重液を用いた重液選別装置１５で処理して、重量ダストから、非鉄金属類、アルミニウム、基板類、裁断線類類、並びにプラスチック類及びゴム類に分離する第３工程とを有する。【選択図】        図１
2006181464.tif 000002
【特許請求の範囲】
【請求項１】
磁着分が除去され、プラスチック類、ゴム類、土砂、ガラス類、基板類、及び金属類を主体とし、更に前記金属類には裁断線類を含むシュレッダーダストを篩分装置で処理して、粒径の上限が１５０ｍｍ、粒径の下限が５ｍｍでプラスチック類、ゴム類、基板類、及び金属類を含む塊状ダストを選別する第１工程と、
前記塊状ダストを水選別手段で処理して、比重が１以下の浮遊する軽プラスチック類を主体とする軽量ダストと、比重が１を超えて沈降するプラスチック類、ゴム類、基板類、及び裁断線類を含む金属類を主体とする重量ダストを分離する第２工程と
前記重量ダストを少なくとも異なる２つの比重の重液を用いた重液選別装置で処理して、前記重量ダストから、（１）比重が３以上の非鉄金属類、（２）アルミニウム、比重がそれぞれ３未満の基板類及び裁断線類、（３）比重が１より大きいプラスチック類及びゴム類に分離する第３工程とを有することを特徴とするシュレッダーダストの処理方法。
【請求項２】
請求項１記載のシュレッダーダストの処理方法において、前記２つの重液より更に比重の小さい重液を用いて、前記比重が１より大きいプラスチック類及びゴム類を更に個々に分離することを特徴とするシュレッダーダストの処理方法。
【請求項３】
請求項１及び２のいずれか１項に記載のシュレッダーダストの処理方法において、前記アルミニウム、比重がそれぞれ３未満の基板類及び裁断線類の混合物から前記アルミニウムのみを渦流選別機で分離することを特徴とするシュレッダーダストの処理方法。
【請求項４】
請求項１〜３のいずれか１項に記載のシュレッダーダストの処理方法において、前記第１工程で選別された塊状ダストを風力選別手段で処理して、前記塊状ダストに付着している土砂を主体とする不要ダストを除去することを特徴とするシュレッダーダストの処理方法。
【請求項５】
請求項１〜４のいずれか１項に記載のシュレッダーダストの処理方法において、前記第２工程で選別された軽量ダストを水選水と共にウェッジワイヤが縦方向に所定間隔で傾斜配置された縦ウェッジワイヤスクリーンを通過させて、前記軽量ダストに付着する土砂及び綿屑を含む繊維状物を除去することを特徴とするシュレッダーダストの処理方法。
【請求項６】
請求項１〜５のいずれか１項に記載のシュレッダーダストの処理方法において、前記水選別機から排出される重量ダストは、上流側は塞がって下流側に開口する小孔を底部に多数備えた第１の振動トラフに上から水を加えながら流下させて、前記重量ダストから不要なダスト及び水を除去することを特徴とするシュレッダーダストの処理方法。
【請求項７】
請求項１〜６のいずれか１項に記載のシュレッダーダストの処理方法において、前記第３工程で重液を用いて重液浮遊ダストと重液沈降ダストに区分する際に、前記重液浮遊ダストと重液沈降ダストを上流側は塞がって下流側に開口する小孔を底部に多数備えた第２、第３の振動トラフに個別に通過させて重液の大部分を除去した後水洗して残り重液を除去することを特徴とするシュレッダーダストの処理方法。
【請求項８】
請求項７記載のシュレッダーダストの処理方法においては、前記残り重液の除去時に発生する洗浄水は、ウェッジワイヤが横方向に所定間隔で配置され、しかも該ウェッジワイヤが傾斜湾曲して配置された横ウェッジワイヤスクリーンを通過させて、前記洗浄水から前記裁断線類中被覆が除去された屑線と前記残り重液とを分離することを特徴とするシュレッダーダストの処理方法。
【請求項９】
磁着分が除去され、プラスチック類、ゴム類、土砂、ガラス類、基板類、及び裁断線類を含む金属類を主体とするシュレッダーダストを篩分けて、粒径の上限が１５０ｍｍ、粒径の下限が５ｍｍの塊状ダストを選別する篩分装置と、
前記塊状ダストを受け入れ、該塊状ダストを水中に分散させて比重が１以下の軽プラスチック類を主体とする軽量ダスト、及び比重が１を超えるプラスチック類、ゴム類、基板類、及び裁断線類を含む金属類を主体とする重量ダストとに分離する水選別手段と、
前記重量ダストを受け入れ、該重量ダストを第１の重液中に供給して浮遊する第１の重液浮遊ダスト及び沈降する第１の重液沈降ダストに選別する第１の重液選別手段と、前記第１の重液浮遊ダスト及び前記第１の重液沈降ダストのいずれか一方を受け入れ、第２の重液中に供給して浮遊する第２の重液浮遊ダスト及び沈降する第２の重液沈降ダストに選別する第２の重液選別手段を備え、（１）比重が３以上の非鉄金属類、（２）アルミニウム、比重がそれぞれ３未満の基板類及び裁断線類、（３）比重が１より大きいプラスチック類及びゴム類に分離する重液選別装置とを有することを特徴とするシュレッダーダストの処理設備。
【請求項１０】
請求項９記載のシュレッダーダストの処理設備において、前記第１の重液沈降ダストを前記第２の重液選別手段に供給し、前記第１の重液浮遊ダストを前記第１の重液の比重より小さい第３の重液を使用して、前記第１の重液浮遊ダストをプラスチック類とゴム類に選別することを特徴とするシュレッダーダストの処理設備。
【請求項１１】
請求項９記載のシュレッダーダストの処理設備において、前記第１の重液浮遊ダストを前記第２の重液選別手段に供給し、該第２の重液選別手段で選別された前記第２の重液浮遊ダストを前記第２の重液の比重より小さい第３の重液を使用して、前記第２の重液浮遊ダストをプラスチック類とゴム類に選別することを特徴とするシュレッダーダストの処理設備。
【請求項１２】
請求項９〜１１のいずれか１項に記載のシュレッダーダストの処理設備において、前記篩分装置で選別した前記塊状ダストから付着している土砂を主体とする不要ダストを吹き飛ばす風力選別手段が設けられていることを特徴とするシュレッダーダストの処理設備。
【発明の詳細な説明】
【技術分野】
【０００１】
本発明は、例えば、自動車や廃家電製品等を破砕し磁力選別機で除鉄した後のシュレッダーダストから、比重が１以下の軽プラスチック類（例えば、ポリエステル）、比重が１を超えるプラスチック類（例えば、塩化ビニル）、ゴム類、基板類、裁断線類（例えば、裁断されたハーネス線）、アルミニウム、及び非鉄金属類等に選別するシュレッダーダストの処理方法及びその設備に関する。
【背景技術】
【０００２】
従来、自動車や廃家電製品等を破砕して生じるシュレッダーダストは、風力選別機により軽いダストと重いダストとに分離され、重いダストからは磁力選別機により鉄が回収され資源として再利用されている。また、鉄が除去された残りの重いダストには、銅、アルミニウム、及び亜鉛等の非鉄金属、ステンレス、及び裁断線類を含む金属類と、基板類と、プラスチック類及びゴム類を含む非金属類が混在しているので、マグネタイト等の磁性粉体を分散させて比重を調整した重液が貯留された選別容器内に重いダストを投入し、比重差によりアルミニウム、裁断線類、基板類、プラスチック類、及びゴム類等を含む混合物と、非鉄金属類とに選別していた（例えば、特許文献１参照）。そして、混合物からは渦流選別機等を用いてアルミニウムを回収していた。
【０００３】
【特許文献１】特開平６−１４２５４６号公報
【発明の開示】
【発明が解決しようとする課題】
【０００４】
特許文献１に記載された発明では、重いダストから選別された軽量物と重量物をそれぞれ水切り篩により水洗しながらふるい取り、各水切り篩から排出された重液を一旦タンクに貯留した後、ポンプにより磁選機に圧送して磁性粉体を回収し、磁性粉体を重液選別機に戻して循環使用するようにしていた。このため、自動車のシュレッダーダストのように、除鉄ダスト中に裁断線類が混入している場合、裁断線類中の被覆が除去された屑線が、重液と共に水切り篩を通過し、回収された重液を溜めるタンクの底部やポンプ中に詰まって重液の循環系を停止させるという問題が発生していた。
また、重いダストに混在している土砂が重液中に混入すると重液の比重が変動し軽量物と重量物の選別精度が低下するという問題が生じていた。また、アルミニウムを回収した残りの混合物は廃棄処分されるため、裁断線類、基板類、プラスチック類、ゴム類等の有価物が利用されず、廃棄物の有効活用の観点から問題となっていた。
【０００５】
本発明はかかる事情に鑑みてなされたもので、シュレッダーダストから軽プラスチック類、プラスチック類、ゴム類、基板類、裁断線類、アルミニウム、及び非鉄金属類を効率的に、かつ精度よく選別して回収することが可能なシュレッダーダストの処理方法及びその設備を提供することを目的とする。
【課題を解決するための手段】
【０００６】
前記目的に沿う請求項１記載のシュレッダーダストの処理方法は、磁着分が除去され、プラスチック類、ゴム類、土砂、ガラス類、基板類、及び金属類を主体とし、更に前記金属類には裁断線類を含むシュレッダーダストを篩分装置で処理して、粒径の上限が１５０ｍｍ、粒径の下限が５ｍｍでプラスチック類、ゴム類、基板類、及び金属類を含む塊状ダストを選別する第１工程と、
前記塊状ダストを水選別手段で処理して、比重が１以下の浮遊する軽プラスチック類を主体とする軽量ダストと、比重が１を超えて沈降するプラスチック類、ゴム類、基板類、及び裁断線類を含む金属類を主体とする重量ダストを分離する第２工程と
前記重量ダストを少なくとも異なる２つの比重の重液を用いた重液選別装置で処理して、前記重量ダストから、（１）比重が３以上の非鉄金属類、（２）アルミニウム、比重がそれぞれ３未満の基板類及び裁断線類、（３）比重が１より大きいプラスチック類及びゴム類に分離する第３工程とを有する。
【０００７】
請求項２記載のシュレッダーダストの処理方法は、請求項１記載のシュレッダーダストの処理方法において、前記２つの重液より更に比重の小さい重液を用いて、前記比重が１より大きいプラスチック類及びゴム類を更に個々に分離する。
【０００８】
請求項３記載のシュレッダーダストの処理方法は、請求項１及び２記載のシュレッダーダストの処理方法において、前記アルミニウム、比重がそれぞれ３未満の基板類及び裁断線類の混合物から前記アルミニウムのみを渦流選別機で分離する。
【０００９】
請求項４記載のシュレッダーダストの処理方法は、請求項１〜３記載のシュレッダーダストの処理方法において、前記第１工程で選別された塊状ダストを風力選別手段で処理して、前記塊状ダストに付着している土砂を主体とする不要ダストを除去する。これによって、微細ダストが塊状ダストと共に水選別手段及び重液選別装置に侵入するのを防止できる。
【００１０】
請求項５記載のシュレッダーダストの処理方法は、請求項１〜４記載のシュレッダーダストの処理方法において、前記第２工程で選別された軽量ダストを水選水と共にウェッジワイヤが縦方向に所定間隔で傾斜配置された縦ウェッジワイヤスクリーンを通過させて、前記軽量ダストに付着する土砂及び綿屑を含む繊維状物を除去する。
これによって、水と共に回収した軽量ダストから土砂及び綿屑を含む繊維状物を除去して軽プラスチック類を分離することができ、分離した軽プラスチック類は縦ウェッジワイヤスクリーン上を滑落させて回収できる。
【００１１】
請求項６記載のシュレッダーダストの処理方法は、請求項１〜５項に記載のシュレッダーダストの処理方法において、前記水選別機から排出される重量ダストは、上流側は塞がって下流側に開口する小孔を底部に多数備えた第１の振動トラフに上から水を加えながら流下させて、前記重量ダストから不要なダスト及び水を除去する。
これによって、重量ダストに含まれる不要なダスト及び水を除去して、初めに使用する重液の濃度、すなわち比重値の変動を防止できる。また、上流側は塞がって下流側に開口する小孔を底部に多数備えた第１の振動トラフを使用するので、重量ダストの移動の際に重量ダスト中に含まれる裁断線類が小孔に詰まるのが防止できる。
【００１２】
請求項７記載のシュレッダーダストの処理方法は、請求項１〜６記載のシュレッダーダストの処理方法において、前記第３工程で重液を用いて重液浮遊ダストと重液沈降ダストに区分する際に、前記重液浮遊ダストと重液沈降ダストを上流側は塞がって下流側に開口する小孔を底部に多数備えた第２、第３の振動トラフに個別に通過させて重液の大部分を除去した後水洗して残り重液を除去する。
これによって、重液浮遊ダストと重液沈降ダストに含まれる重液を回収して再使用することができる。また、上流側は塞がって下流側に開口する小孔を底部に多数備えた第２、第３の振動トラフを使用するので、重液浮遊ダストと重液沈降ダストの移動の際に重液浮遊ダストと重液沈降ダスト中にそれぞれ含まれる裁断線類が小孔に詰まるのが防止できる。
【００１３】
請求項８記載のシュレッダーダストの処理方法は、請求項７記載のシュレッダーダストの処理方法においては、前記残り重液の除去時に発生する洗浄水は、ウェッジワイヤが横方向に所定間隔で配置され、しかも該ウェッジワイヤが傾斜湾曲して配置された横ウェッジワイヤスクリーンを通過させて、前記洗浄水から前記裁断線類中被覆が除去された屑線と前記残り重液とを分離する。
【００１４】
前記目的に沿う請求項９記載のシュレッダーダストの処理設備は、磁着分が除去され、プラスチック類、ゴム類、土砂、ガラス類、基板類、及び裁断線類を含む金属類を主体とするシュレッダーダストを篩分けて、粒径の上限が１５０ｍｍ、粒径の下限が５ｍｍの塊状ダストを選別する篩分装置と、
前記塊状ダストを受け入れ、該塊状ダストを水中に分散させて比重が１以下の軽プラスチック類を主体とする軽量ダスト、及び比重が１を超えるプラスチック類、ゴム類、基板類、及び裁断線類を含む金属類を主体とする重量ダストとに分離する水選別手段と、
前記重量ダストを受け入れ、該重量ダストを第１の重液中に供給して浮遊する第１の重液浮遊ダスト及び沈降する第１の重液沈降ダストに選別する第１の重液選別手段と、前記第１の重液浮遊ダスト及び前記第１の重液沈降ダストのいずれか一方を受け入れ、第２の重液中に供給して浮遊する第２の重液浮遊ダスト及び沈降する第２の重液沈降ダストに選別する第２の重液選別手段を備え、（１）比重が３以上の非鉄金属類、（２）アルミニウム、比重がそれぞれ３未満の基板類及び裁断線類、（３）比重が１より大きいプラスチック類及びゴム類に分離する重液選別装置とを有する。
【００１５】
請求項１０記載のシュレッダーダストの処理設備は、請求項９記載のシュレッダーダストの処理設備において、前記第１の重液沈降ダストを前記第２の重液選別手段に供給し、前記第１の重液浮遊ダストを前記第１の重液の比重より小さい第３の重液を使用して、前記第１の重液浮遊ダストをプラスチック類とゴム類に選別する。
【００１６】
請求項１１記載のシュレッダーダストの処理設備は、請求項９記載のシュレッダーダストの処理設備において、前記第１の重液浮遊ダストを前記第２の重液選別手段に供給し、該第２の重液選別手段で選別された前記第２の重液浮遊ダストを前記第２の重液の比重より小さい第３の重液を使用して、前記第２の重液浮遊ダストをプラスチック類とゴム類に選別する。
【００１７】
請求項１２記載のシュレッダーダストの処理設備は、請求項９〜１１記載のシュレッダーダストの処理設備において、前記篩分装置で選別した前記塊状ダストから付着している土砂を主体とする不要ダストを吹き飛ばす風力選別手段が設けられている。これによって、微細ダストが塊状ダストと共に重液選別装置に供給されるのを防止できる。
【発明の効果】
【００１８】
本発明に係るシュレッダーダストの処理方法においては、シュレッダーダストから塊状ダストを選別し、更に水選別して重量ダストを取り出し、この重量ダストを重液選別装置により選別するようにしたので、シュレッダーダストから軽プラスチック類、プラスチック類、ゴム類、基板類、裁断線類、アルミニウム、及び非鉄金属類を効率的に、かつ精度よく選別して回収することが可能になる。
特に、２つの重液より更に比重の小さい重液を用いて、比重が１より大きいプラスチック類及びゴム類を更に個々に分離する場合は、プラスチック類及びゴム類をそれぞれ固形化して燃料として利用することが可能になる。
【００１９】
アルミニウム、比重がそれぞれ３未満の基板類及び裁断線類の混合物からアルミニウムのみを渦流選別機で分離する場合は、アルミニウムを選別することにより、効率的に基板類及び裁断線類を回収することが可能になる。その結果、基板類及び裁断線類の再利用率を向上させることができる。
第１工程で選別された塊状ダストを風力選別手段で処理して、塊状ダストに付着している土砂を主体とする不要ダストを除去する場合は、土砂を主体とした不要ダストが重液中に混入するのを防止でき、重液の比重変動を防止して比重差による選別精度の安定化を更に図ることが可能になる。
【００２０】
第２工程で選別された軽量ダストを水選水と共にウェッジワイヤが縦方向に所定間隔で傾斜配置された縦ウェッジワイヤスクリーンを通過させて、軽量ダストに付着する土砂及び綿屑を含む繊維状物を除去する場合は、分離した軽プラスチック類を縦ウェッジワイヤスクリーン上で滑落させて、効率的に回収することが可能になる。そして、軽プラスチック類は固形化し燃料として利用することが可能になる。
【００２１】
水選別手段から排出される重量ダストを、上流側は塞がって下流側に開口する小孔を底部に多数備えた第１の振動トラフに上から水を加えながら流下させて、重量ダストから不要なダスト及び水を除去する場合は、受け入れた重量ダストを移動させながら水切りする際に重量ダスト中の裁断線類が詰まるのが防止でき、効率的な水切りを行うことが可能になると共に、水選別手段の保守管理の負担を低減させて水選別手段の稼働率を向上させることが可能になる。
【００２２】
第３工程で重液を用いて重液浮遊ダストと重液沈降ダストに区分する際に、重液浮遊ダストと重液沈降ダストを上流側は塞がって下流側に開口する小孔を底部に多数備えた第２、第３の振動トラフに個別に通過させて重液の大部分を除去した後水洗して残り重液を除去する場合は、受け入れた重液沈降ダスト及び重液浮遊ダストをそれぞれ移動させながら重液を分離する際に重液沈降ダスト及び重液浮遊ダスト中に含まれる裁断線類が底部に詰まるのが防止でき、効率的に重液が分離された重液沈降ダスト及び重液浮遊ダストを得ることが可能になる。その結果、処理設備の保守管理の負担を低減させて処理設備の稼働率を向上させることが可能になる。
残り重液の除去時に発生する洗浄水を、ウェッジワイヤが横方向に所定間隔で配置され、しかもウェッジワイヤが傾斜湾曲して配置された横ウェッジワイヤスクリーンに通過させて洗浄水から裁断線類中被覆が除去された屑線と残り重液とを分離する場合は、回収した残り重液を溜める貯留槽の底部や残り重液を輸送する輸送用ポンプの中に屑線が詰まって残り重液の輸送が停止するのを防止することが可能になる。その結果、処理設備の保守管理の負担を低減させて処理設備の稼働率を向上させることが可能になる。
【００２３】
本発明に係るシュレッダーダストの処理設備においては、篩分装置でシュレッダーダストから塊状ダストを選別し、更に水選別手段で水に沈降する重量ダストを取り出し、この重量ダストを重液選別装置により選別するようにしたので、シュレッダーダストから軽プラスチック類、プラスチック類、ゴム類、基板類、裁断線類、アルミニウム、及び非鉄金属類を効率的に、かつ精度よく選別して回収することが可能になる。
特に第１の重液沈降ダストを第２の重液選別手段に供給し、第１の重液浮遊ダストを第１の重液の比重より小さい第３の重液を使用して、第１の重液浮遊ダストをプラスチック類とゴム類に選別する場合、又は第１の重液浮遊ダストを第２の重液選別手段に供給し、第２の重液選別手段で選別された第２の重液浮遊ダストを第２の重液の比重より小さい第３の重液を使用して、第２の重液浮遊ダストをプラスチック類とゴム類に選別する場合は、重量ダストから材質別に有価物を連続的に、かつ効率的に選別することができる。
篩分装置で、選別した塊状ダストから、付着している土砂を主体とする不要ダストを吹き飛ばす風選別手段が設けられている場合は、土砂を主体とした不要ダストが重液中に混入するのを防止でき、重液の使用寿命の延長を図ることができる。
【発明を実施するための最良の形態】
【００２４】
続いて、添付した図面を参照しつつ、本発明を具体化した実施の形態につき説明し、本発明の理解に供する。
ここで、図１は本発明の第１の実施の形態に係るシュレッダーダストの処理方法の工程説明図、図２は同シュレッダーダストの処理方法を適用する処理設備の篩分装置及び風選別手段の説明図、図３は同処理設備の篩分装置に設けられた回転篩の説明図、図４は同処理設備の水選別手段の説明図、図５は（Ａ）は同処理設備の軽プラスチック選別手段に設けられたウェッジワイヤスクリーンの部分側面図、（Ｂ）は部分正面図、（Ｃ）は（Ｂ）のＰ−Ｐ矢視断面図、図６は（Ａ）、（Ｂ）はそれぞれ同処理設備の水切り手段の部分平面図、部分断面図、図７は同処理設備の重液選別装置に設けられた第１の重液選別手段の説明図、図８は（Ａ）、（Ｂ）はそれぞれ同処理設備の第１の重液選別手段に設けられた縦ウェッジワイヤスクリーンの部分側面図、部分平面図、図９は同処理設備の重液選別装置に設けられた第２の重液選別手段の説明図、図１０は同処理設備に設けられた第３の重液選別手段の説明図、図１１は本発明の第２の実施の形態に係るシュレッダーダストの処理方法の工程説明図である。
【００２５】
図１に示すように、本発明の第１の実施の形態に係るシュレッダーダストの処理方法を適応するシュレッダーダストの処理設備１０（以下、単に処理設備１０という）は、磁着分が除去され、プラスチック類、ゴム類、土砂、ガラス類、基板類、及び裁断線類を含む金属類を主体とするシュレッダーダスト（以下、原料ダストという）から粒径の上限が１００ｍｍ、粒径の下限が１４ｍｍの塊状ダストを選別する篩分装置１１を有している。更に、処理設備１０は、塊状ダストを受け入れ、塊状ダストを水中に分散させて比重が１以下の軽プラスチック類を主体とする軽量ダスト、及び比重が１を超えるプラスチック類、ゴム類、基板類、及び裁断線類を含む金属類を主体とする重量ダストとに分離する水選別手段１２と、重量ダストを受け入れ、重量ダストを第１の重液中に供給して浮遊する第１の重液浮遊ダスト及び沈降する第１の重液沈降ダストに選別する第１の重液選別手段１３と、第１の重液沈降ダストを受け入れ、第１の重液よりも比重の大きな第２の重液中に供給して浮遊する第２の重液浮遊ダスト及び沈降する第２の重液沈降ダストに選別する第２の重液選別手段１４を備えた重液選別装置１５を有している。以下これらについて、詳細に説明する。
【００２６】
図２に示すように、篩分装置１１は、原料ダストを受け入れる原料供給ホッパー１６と、原料供給ホッパー１６の下部に取付けられ原料ダストを送り出す原料フィーダー１７と、原料フィーダー１７で送り出された原料ダストを更に搬送する原料移送コンベア１８を備えた原料ダスト供給手段１９を有している。ここで、原料移送コンベア１８の上流側の上方には鉄片分離機２０が設けられ、原料ダスト中に残留している鉄片の分離が行われる。そして、分離された鉄片は鉄片回収缶２１内に集積される。
また、篩分装置１１は、原料移送コンベア１８で移送された原料ダストを受け入れ、粒径が１４ｍｍ未満の土砂及びガラス類を主体とする細粒ダストと、粒径が１４ｍｍ以上かつ１００ｍｍ以下で、プラスチック類、ゴム類、基板類、及び裁断線類を含む金属類を主体とする塊状ダストと、粒径が１００ｍｍを超えプラスチック類、ゴム類、基板類、及び裁断線類を含む金属類を有する粗大ダストに篩分ける回転篩（長尺物選別トロンメル）２２を有している。
【００２７】
ここで、図３に示すように、回転篩２２の篩部２３は、上流側に網目間隔が１４ｍｍの第１篩部２４、中央部に径が１００ｍｍの孔２４ａが多数形成された第２篩部２５、下流側に排出部２６が設けられており、篩部２３は全体がカバー２７で覆われている。そして、カバー２７の下部には、第１篩部２４、第２篩部２５、及び排出部２６の各領域に合わせて排出口２８、２９、３０がそれぞれ形成されている。また、第２篩部２５の各孔２４ａの出側には長さが、例えば１００ｍｍの短管３０ａが取付けられ、短管３０ａの先部から、例えば１００ｍｍ離れた位置には複数の孔２４ａを覆うように複数の邪魔板３０ｂが設けられている。そして、各邪魔板３０ｂの間には、例えば、１００ｍｍの隙間が形成されている。
このような構成とすることにより、受け入れた原料ダストは回転篩２２内を移動する際に、先ず細粒ダストが第１篩部２４で篩分けられて排出口２８から排出され、次いで塊状ダストが第２篩部２５で分離されて排出口２９から排出され、最終的に１００ｍｍを超える粗大ダストのみが排出部２６に到達して排出口３０から排出されることになる。なお、長さが１００ｍｍを超えるが断面の最大径が１００ｍｍ未満のダストは、回転篩２２の回転に伴って孔２４ａ内に進入して外部に出ようとするが、邪魔板３０ｂに遮られて上方まで持ち上げられ再び回転篩２２内に落下するので、長さが１００ｍｍを超え断面の最大径が１００ｍｍ未満のダストを排出部２６から確実に排出させることができる。
【００２８】
篩分手段１１は、排出口２８から排出された細粒ダストを移送するダストコンベア３１と、排出口２９から排出された塊状ダストを上方に移送する塊状ダストコンベア３２と、排出口３０から排出された粗大ダストを移送する複数（図２では２基）の粗大ダストコンベア３３を有している。
これによって、ダストコンベア３１で移送された細粒ダストはダスト回収缶３４で回収することができ、複数の粗大ダストコンベア３３で移送される粗大ダストは移送中に手選別により、例えば、プラスチック類、ゴム類、ハーネス線を主体とする裁断線類、及び金属類に選別してそれぞれプラスチック回収缶３５、ゴム回収缶３６、裁断線類回収缶３７、金属類回収缶３７ａに集積することができる。
【００２９】
ここで、排出口３０内にはプッシュファン３８から空気が吹き込まれ粗大ダストに付着している土砂、ガラス類、綿屑、紙類を主体とする微細ダストが除去されるようになっている。そして、空気で吹き飛ばされた微細粒ダストは、空気に混入してカバー２７に接続した空気排出管３９を介してサイクロン４０内に供給されて分離され、微細ダスト回収缶４１で回収される。なお、サイクロン４０で微細粒ダストが分離された後の空気は排気ファン４２で吸引されて大気中に放出される。
また、ダスト回収缶３４に回収された細粒ダストは、図示しない５ｍｍの篩網で再度篩分けられ、５ｍｍを超えるサイズのダストは、塊状ダストコンベア３２の上方に配置された塊状ダスト供給ホッパー４３に投入され、塊状ダスト供給ホッパー４３の下部に取付けられた搬送フィーダー４４を介して塊状ダストコンベア３２に払い出される。一方、５ｍｍ未満のダスト（土砂及びガラス類が主体）は図示しない容器で回収される。
【００３０】
更に、篩分装置１１の下流側には、図２に示すように、選別した塊状ダストから付着している土砂を主体とする不要ダストの一例である微細ダストを吹き飛ばす風力選別手段４５が設けられている。
ここで、風力選別手段４５は、例えば、塊状ダストコンベア３２の下流側を覆うように取付けられ、下部に排出口４６を備えた排出部４７が形成されたフード４８と、排出部４７内に空気を送るプッシュファン４９と、フード４８の上部に設けられ排出部４７内に送り込まれた空気を取り出す空気取り出し管５０を有している。更に、風力選別手段４５は、空気取り出し管５０と連通するサイクロン５１と、サイクロン５１内を排気する排気ファン５２を有している。
【００３１】
このような構成とすることにより、塊状ダストに付着している微細ダストをプッシュファン４９から送り込まれる空気で吹き飛ばし、排出口４６から微細ダストが除去された塊状ダストＡを排出することができる。なお、微細ダストが混入した空気は、空気取り出し管５０を介してサイクロン５１内に供給され、微細ダストと空気を分離することができる。更に、分離された微細ダストは微細ダスト回収缶５３で回収され、微細ダストが分離された空気は排気ファン５２で吸引されて大気中に放出される。なお、微細ダスト回収缶５３を設けないで、サイクロン５１で分離した微細ダストを直接微細ダスト回収缶４１に移送するようにしてもよい。
【００３２】
図４に示すように、処理設備１０は、微細ダストが表面から除去された塊状ダストＡを受け入れ、この塊状ダストＡを水中に分散させて軽量ダストと重量ダストとに分離する水選別手段１２と、水と共に回収した軽量ダストから軽プラスチック類を分離して回収する軽プラスチック類回収手段５５と、水と共に回収した重量ダストを受け入れて移動させながら水洗して水切りを行う水切り手段５６を有している。
【００３３】
ここで、水選別手段１２は、軸が水平に保持され両端部に堰５７、５８が設けられて外周側に設置された支持部材５９に支持されながら軸周りに自転する筒状の選別容器６０と、選別容器６０の内面に軸に平行に、しかも周方向に等間隔に配置され複数の小孔が形成されたリフター６１と、選別容器６０の上流側の開口部６２から装入され水と共に塊状ダストＡを選別容器６０の下部に投入する投入シュート６３と、選別容器６０内の上部に重量ダストの受け入れ口６４が形成され、選別容器６０の下流側の開口部６５から斜め下外側に突出し先端部に重ダストの排出口６６が設けられている排出シュート６７を備えたドラム式水選別機６８を有している。
【００３４】
このような構成とすることにより、ドラム式水選別機６８の選別容器６０内に水と共に塊状ダストＡを投入すると、水より軽い軽プラスチック類を主体とする軽量ダストを選別容器６０内で浮遊させることができ、堰５７を越えて外部に水と共に排出することができる。一方、比重が１より大きなプラスチック類、ゴム類、基板類、及び金属類を主体とする重量ダストは水より重いため、選別容器６０の底に沈み、選別容器６０の自転と共にリフター６１で掻き上げられ水切りされながら上方に移送される。そして、上方に移送された重量ダストは重力の作用で排出シュート６７の受け入れ口６４内に落下し排出シュート６７内を移動することができるので、重量ダストを排出口６６より外部に取り出すことができる。
【００３５】
図４に示すように、軽プラスチック類回収手段５５は、縦ウェッジワイヤスクリーン６９と、縦ウェッジワイヤスクリーン６９の周囲を保持して固定する取付け部を備え分離した水を回収する篩枠体７０と、篩枠体７０の下部に接続した排水管７１と連通する水貯留槽７２を有している。ここで、縦ウェッジワイヤスクリーン６９は、図５（Ａ）、（Ｂ）、（Ｃ）に示すように、篩面６９ａが側面視して傾斜し、篩面６９ａを正面視した際に、各ウェッジワイヤ６９ｂ（各ウェッジワイヤ６９ｂ間の隙間は、例えば１〜３ｍｍ）が縦方向に配置され、各ウェッジワイヤ６９ｂを支持する複数の支持部材６９ｃが横方向に配置されている。
【００３６】
このような縦ウェッジワイヤスクリーン６９を使用することで、縦ウェッジワイヤスクリーン６９の上流側に水（水選水）と共に軽量ダストを供給すると、軽量ダストは水によって縦ウェッジワイヤスクリーン６９の篩面６９ａ上を下流側に押し流される。このとき、水は混入している土砂及び綿屑を含む繊維状物と共に容易に縦ウェッジワイヤスクリーン６９を通過することができるので、軽量ダストの移動と共に水、土砂、及び繊維状物は軽プラスチック類から分離されていく。
このため、縦ウェッジワイヤスクリーン６９の下流側では縦ウェッジワイヤスクリーン６９上には軽プラスチック類が残留することになる。そして、ウェッジワイヤ６９ｂの方向と軽プラスチック類の移動方向は平行のため、軽プラスチック類がウェッジワイヤ６９ｂの縁に引っかかることがなく、軽プラスチック類は容易に篩面６９ｃ上を移動して下流端から振動篩７３に排出され、軽プラスチック類に付着している水が分離されて軽プラスチック類回収缶７４内に集積される。また、分離された水は排水管７１に導かれて水貯留槽７２に送られる。なお、繊維状物がウェッジワイヤ６９ｂに一時引っ掛かっても、繊維状物は軽量プラスチック類と共に水で押し流されて移動できるため、容易にウェッジワイヤ６９ｂから離脱することができる。このため、縦ウェッジワイヤスクリーン６９に繊維状物が絡まって網目を閉塞させることがなく、安定して軽量ダストから軽プラスチック類を分離することができる。
【００３７】
また、水貯留槽７２内には、水貯留槽７２の底に堆積した土砂及び綿屑を含む繊維状物を掻き上げて水貯留槽７２の外部に排出する、例えばベルトコンベアを備えた異物掻き上げ機７５と、異物掻き上げ機７５から排出された異物を受けて送り出す異物排出コンベア７６と、排出された異物を回収する異物回収缶７７が設けられている。更に、水貯留槽７２には、水貯留槽７２内の、例えば上澄層部分の水を取り出す水回収ポンプ７８と、水回収ポンプ７８の排出口に接続し投入シュート６３の上流側に設けられた投入口７９内に水を供給する水循環配管８０が設けられている。
このような構成とすることにより、軽量ダストと共に排出された水を回収して水選別手段１２で再使用することができる。なお、水貯留槽７２には、水位計８１が設けられ、水貯留槽７２内の水位が設定された位置より低くなると、水貯留槽７２の水位が回復するまで開閉弁８２を開けて水源８３から給水管８４を介して水が水貯留槽７２内に供給されるようになっている。
【００３８】
図４に示すように、水切り手段５６は、排出シュート６７の排出口６６から水と共に排出された重量ダストを上流側で受け入れ、下流側に向かって移動させて水洗水シャワー８５から放出する水で表面を水洗しながら水切りを行う第１の振動トラフ８６と、第１の振動トラフ８６の下方に設けられ第１の振動トラフ８６を通過した水を回収する水回収部８７と、水回収部８７の下部と水貯留層７２を連通する排水管８８を有している。なお、第１の振動トラフ８６は下流側が水平方向に対して、例えば２〜５°斜め上方に傾斜して設けられている。また、図６（Ａ）、（Ｂ）に示すように、第１の振動トラフ８６の底部８９には、上流側は塞がって下流側に開口部９０が形成された小孔９１が多数段に形成されている。なお、第１の振動トラフ８６は、通常、出窓式振動篩とも呼ばれる。
【００３９】
これによって、第１の振動トラフ８６の篩面上で重量ダストを移動させる際に、裁断線類が小孔９１に詰まったり、水と共に小孔９１を通過したりするのが防止でき、効率的な水切りを行って第１の振動トラフ８６の下流端から不要ダスト、例えば、土砂及び綿屑を含む繊維状物が除去された重量ダストＢを排出することができる。また、水洗水シャワー８５には、水循環配管８０から分岐した第１分岐管９２を介して水洗用の水が供給されるようになっており、更に、第１分岐管９２には、排出シュート６７の上流側と連通する第２分岐管９３が接続されている。これによって、水洗用の水を循環させて使用することができると共に、重量ダストの排出用の水も循環させて使用することができる。
【００４０】
図７に示すように、第１の重液選別手段１３は、重量ダストＢを受け入れて、プラスチック類及びゴム類を主体とする第１の重液浮遊ダストと、アルミニウム、基板類、裁断線類、及び非鉄金属類を主体とする第１の重液沈降ダストに選別する第１の重液選別機９４と、第１の重液沈降ダスト及び第１の重液浮遊ダストをそれぞれ移動させながら第１の重液を分離して第１の重液沈降ダスト及び第１の重液浮遊ダストをそれぞれ排出すると共に、分離した第１の重液中に混在している裁断線類中の被覆が除去された屑線を捕集してから第１の重液を第１の重液選別機９４に戻す第１の重液回収機９５を有している。なお、第１の重液は、例えば、重質剤の一例であるマグネタイトを水中に均一に分散させて、比重値を１．５〜２の範囲の特定値、例えば、比重２に調整したものである。
【００４１】
第１の重液選別機９４は、軸が水平に保持され両端部に堰９６、９７が設けられて外周側に設置された支持部材９８に支持されながら軸周りに自転する筒状の選別容器９９と、選別容器９９の内面に軸に平行に、しかも周方向に等間隔に配置されたリフター１００を有している。更に、第１の重液選別機９４は、第１の振動トラフ８６から排出された重量ダストＢを受け入れて移送する重量ダスト移送コンベア１０１と、重量ダスト移送コンベア１０１で移送された重量ダストＢを上流側に設けられた受け入れ口１０２で受け入れ選別容器９９の上流側に形成された開口部１０３に先部が装入されて重量ダストＢを選別容器９９内に第１の重液と共に投入する投入シュート１０４と、選別容器９９内の上部に受け入れ口１０５が形成され、選別容器９９の下流側の開口部１０６から斜め下外側に突出し先端部に排出口１０７が設けられている排出シュート１０８を有している。
【００４２】
このような構成とすることにより、第１の重液選別機９４の選別容器９９内に第１の重液と共に重量ダストＢを投入すると、第１の重液より比重が軽いプラスチック類及びゴム類を主体とする第１の重液浮遊ダストを選別容器９９内で浮遊させることができ、堰９７を超えて外部に第１の重液と共に排出することができる。一方、第１の重液より比重が重いアルミニウム、基板類、裁断線類、及び非鉄金属類を主体とする第１の重液沈降ダストは選別容器９９の底に沈み、選別容器９９の自転と共にリフター１００で掻き上げられ第１の重液と共に上方に移送される。そして、上方に移送された第１の重液沈降ダストは重力の作用で排出シュート１０８の受け入れ口１０５内に落下し排出シュート１０８内を移動することができるので、第１の重液沈降ダストを排出口１０７より外部に取り出すことができる。
【００４３】
図７に示すように、第１の重液回収機９５は、堰９７を超えて第１の重液と共に外部に排出された第１の重液浮遊ダストと、排出シュート１０８の排出口１０７から第１の重液と共に排出された第１の重液沈降ダストをそれぞれ分離させて受け入れ、それぞれ移動させながら上流側で第１の重液を分離する重液分離部１０９と、重液分離部１０９に連接して下流側に設けられ水洗水シャワー１１０、１１１から放出する水で第１の重液浮遊ダスト及び第１の重液沈降ダストの表面を個別に水洗して残り重液を除去するダスト水洗部１１２をそれぞれ有する第２の振動トラフ及び第３の振動トラフを備えた第１の振動トラフ群１１３を有している。また、第１の重液回収機９５は、第１の振動トラフ群１１３の下方に重液分離部１０９及びダスト水洗部１１２の各領域に合わせて設けられ通過した第１の重液を受け入れて排出する排出部１１４及び通過した水を受け入れて排出する排出部１１５がそれぞれ形成されている回収部１１６を有している。
【００４４】
ここで、第１の振動トラフ群１１３の第２第３の振動トラフは、第１の振動トラフ８６と同様の構成とすることができるので、詳しい説明は省略する。これによって、受け入れた第１の重液浮遊ダスト及び第１の重液沈降ダストから先ず第１の重液を分離し、次いで第１の重液浮遊ダスト及び第１の重液沈降ダストを水洗しながら下流側に向けて移動させることができると共に、第１の重液浮遊ダスト及び第１の重液沈降ダスト中に含まれる裁断線類が通過口に詰まり難くすることもでき、効率的に第１の重液の分離と水洗水の水切りを行って第１の振動トラフ群１１３の下流端から第１の重液が除去された第１の重液浮遊ダストＣ及び第１沈降ダストＤをそれぞれ分離して排出することができる。
【００４５】
更に、図７に示すように、第１の重液回収機９５は、排出部１１４から排出された第１の重液を重液回収管１１７を介して受け入れ、撹拌手段の一例であるリフター１１８で撹拌してマグネタイトの沈降を防止しながら比重値を１．５〜２の範囲の特定値に調整して貯留する重液タンク１１９と、重液タンク１１９内の第１の重液を取り出す重液ポンプ１２０と、重液ポンプ１２０の排出口に接続し第１の重液を輸送する重液輸送管１２１と、重液輸送管１２１で輸送された第１の重液の供給先を選定する重液供給弁１２２と、重液供給弁１２２を切り換えて投入シュート１０４の上流側に設けられた受け入れ口１０２内に第１の重液を輸送する重液供給管１２３を有している。更に、重液輸送管１２１の先部には分岐配管１２１ａが接続され、輸送された第１の重液の一部が排出シュート１０８の上流側に設けられた受け入れ口１０５内に供給されるようになっている。
これによって、投入シュート１０４の受け入れ口１０２から投入された重量ダストＢは第１の重液と共に選別容器９９内に容易に進入でき、排出シュート１０８の受け入れ口１０５内に落下した第１の重液沈降ダストは第１の重液に押し流されて排出シュート１０８内を容易に移動して排出口１０７から排出される。
【００４６】
また、図７に示すように、第１の重液回収機９５は、排出部１１５から排出された洗浄水（残り重液を含む）、すなわち、希釈された第１の重液を輸送する希釈重液管１２４と、希釈重液管１２４で輸送された希釈された第１の重液を受け入れ混在する裁断線類中被覆が除去された屑線を捕集する横ウェッジワイヤスクリーン１２５と、横ウェッジワイヤスクリーン１２５を支持すると共に横ウェッジワイヤスクリーン１２５を通過した希釈された第１の重液を回収する篩枠体１２６を備えた第１の屑線回収部１２７を有している。
ここで、図８（Ａ）、（Ｂ）に示すように、横ウェッジワイヤスクリーン１２５は、一側が矩形で他側が二等辺三角形となった断面を有する複数のウェッジワイヤ１２５ａが、例えば１〜３ｍｍ間隔で横方向に並べられ、各ウェッジワイヤ１２５ａの他側が各ウェッジワイヤ１２５ａに交差して並べて配置された複数の支持部材１２５ｂで固定されて、各ウェッジワイヤ１２５ａの一側で篩面１２５ｃが構成されており、篩面１２５ｃは側面視して傾斜湾曲して下方に凸の弧状となっている。
【００４７】
このような構成とすることにより、横ウェッジワイヤスクリーン１２５の上流側に屑線が混入した希釈された第１の重液を供給すると、希釈された第１の重液中の屑線は希釈された第１の重液で押し流されて横ウェッジワイヤスクリーン１２５の篩面１２５ｃ上を移動することができ、このとき、希釈された第１の重液は容易に横ウェッジワイヤスクリーン１２５を通過し、希釈された第１の重液から分離された屑線が篩面１２５ｃに堆積する。そして、屑線は、篩面１２５ｃ上を重力の作用で下流側に移動する際に屑線に付着する希釈された第１の重液が更に除去され、篩面１２５ｃの下流側から希釈された第１の重液の含有率が低い、すなわちマグネタイトの付着の少ない屑線が排出される。
【００４８】
ここで、第１の重液回収機９５には、篩枠体１２６から排出される希釈された第１の重液を貯留する希釈重液タンク１２８と、希釈重液タンク１２８内の希釈された第１の重液を取り出す重液回収ポンプ１２９と、重液回収ポンプ１２９で取り出された希釈された第１の重液からマグネタイトを分離して回収する磁選機を備えた重質剤回収部１３０と、回収された帯磁状態のマグネタイトに図示しない水源から供給される搬送用の水を加えて重質剤スラリーを調製するスラリー調製タンク１３１と、スラリー調製タンク１３１から排出された重質剤スラリー中のマグネタイトの消磁を行う脱磁機１３２が設けられている。更に、第１の重液回収機９５には、スラリー調製タンク１３１から排出された重質剤スラリーを受け入れて貯留しながら底に沈降したマグネタイトを排出して重液タンク１１９内に供給する、例えば、スクリュー１３３を備えたエーキンス１３４が設けられている。
【００４９】
重液タンク１１９内に貯留される第１の重液の比重が低下した場合は、重質剤投入ホッパー１３６からマグネタイトをエーキンス１３４に投入して重液タンク１１９内にマグネタイトを供給するようにする。また、エーキンス１３４内の上澄み水は輸送管１３７を介して希釈重液タンク１２８に戻すようにする。また、重質剤回収部１３０でマグネタイトが回収された後の希釈された第１の重液は、戻し配管１３４ａを介して水貯留タンク１３８に戻され、水貯留タンク１３８内の水は水供給ポンプ１３９により取り出され、給水管１４０を介して水洗水シャワー１１０、１１１に供給される。そして、水貯留タンク１３８には希釈重液タンク１２８の上澄み水が連通管１４１を介して供給されると共に、水貯留タンク１３８の水面レベルが予め設定されたレベル値より低下したことが水面レベル計１４２により検知されると、開閉弁１４３が開いて水源１４４から導水管１４５を介して水が水面レベルが回復するまで供給される。
【００５０】
このような構成とすることにより、第１の重液浮遊ダスト及び第１の重液沈降ダストと共に排出された第１の重液を回収して第１の重液選別機９４で再使用することができると共に、第１の重液浮遊ダスト及び第１の重液沈降ダストの水洗に使用した水も回収して再使用することができる。このとき、第１の重液回収機９５における水洗時に混入した屑線は、第１の屑線回収部１２７で捕集されるため、屑線が希釈重液タンク１２８の底部や重液回収ポンプ１２８中に詰まって希釈された第１の重液の輸送が停止するのが防止される。更に、重液供給弁１２２とエーキンス１３４とはバイパス管１４６で接続され、第１の重液選別機９４を停止した際に、重液供給弁１２２を切り換えて、重液タンク１１９内の重液を重液ポンプ１２０で酌み出してエーキンス１３４内に貯留されるようになっている。
【００５１】
図７に示すように、第２の重液選別手段１４は、第１の重液沈降ダストＤを受け入れて、基板類、裁断線類、及びアルミニウムを主体とする第２の重液浮遊ダスト、並びに非鉄金属類を主体とする第２の重液沈降ダストに選別する第２の重液選別機１４７と、第２の重液沈降ダスト及び第２の重液浮遊ダストをそれぞれ移動させながら第２の重液を分離して第２の重液沈降ダスト及び第２の重液浮遊ダストをそれぞれ排出すると共に、分離した第２の重液中に混在している裁断線類を捕集してから第２の重液を第２の重液選別機１４７に戻す第２の重液回収機１４８を有している。なお、第２の重液は、例えば、重質剤の一例であるフェロシリコンを水中に均一に分散させて、比重値を３〜３．６の範囲の特定値、例えば、比重値３に調整したものである。
【００５２】
ここで、第２の重液選別機１４７及び第２の重液回収機１４８は、それぞれ第１の重液選別機９４及び第１の重液回収機９５と実質的に同一の構成とすることができるので、同一の構成部材には同一の符号を付して詳細な説明は省略する。更に、第２の重液回収機１４８に設けられた第２の屑線回収部１４９と、第２及び第３の振動トラフを有する第２の振動トラフ群１５０も、第１の重液回収機９５に設けられた第１の屑線回収部１２７及び第１の振動トラフ群１１３と実質的に同一の構成とすることができるので、同一の構成部材には同一の符号を付して詳細な説明は省略する。
【００５３】
このような構成とすることにより、第２の振動トラフ群１５０の下流端から第２の重液が除去された第２の重液浮遊ダストＥ及び第２の重液沈降ダストＦをそれぞれ分離して排出することができる。また、第２の重液浮遊ダスト及び第２の重液沈降ダストと共に排出された第２の重液を回収して第２の重液選別機１４７で再使用することができると共に、第２の重液浮遊ダスト及び第２の重液沈降ダストの水洗に使用した水も回収して再使用することができる。このとき、第２の重液回収機１４８における水洗時に混入した屑線は、第２の屑線回収部１４９で捕集されるため、裁断線類が希釈重液タンク１２８の底部や重液回収ポンプ１２９中に詰まって希釈された第２の重液の輸送が停止するのが防止される。
【００５４】
図７に示すように、重液選別装置１５には、第２の振動トラフ群１５０から排出された第２の重液浮遊ダストＥを受け入れるは第２の浮遊ダスト回収ホッパー１５１と、第２の重液沈降ダストＦを受け入れる第２の沈降ダスト回収ホッパー１５２が設けられ、更に、第２の沈降ダスト回収ホッパー１５２から取り出された第２の重液沈降ダストＦを移送する第２の沈降ダスト移送コンベア１５３と、移送された第２の重液沈降ダストＦを集積する第２の沈降ダスト回収缶１５４を有している。
なお、第２の重液沈降ダスト回収缶１５４に集積された第２の重液沈降ダストＦは、比重値からアルミニウムより重い非鉄金属類（比重が３以上）なので、磁力選別機及び渦流選別機を利用して更に処理することにより、金属種別、例えば、ステンレス、銅、亜鉛、真鍮等に選別できる。
【００５５】
また、重液選別装置１５には、第２の浮遊ダスト回収ホッパー１５１から取り出された第２の重液浮遊ダストＥを移送する第２の浮遊ダスト移送コンベア１５５と、移送された第２の重液浮遊ダストＥを受け入れ、例えば、アルミニウムのみを飛散させてアルミニウム回収ホッパー１５６に収容すると共に、それぞれ比重が３未満の基板類及び裁断線類を主体とする残ダスト（混合物）を回収する残ダスト回収ホッパー１５７に回収する渦流選別機１５８を有している。そして、アルミニウム回収ホッパー１５６から排出されたアルミニウムは、アルミニウム移送コンベア搬送１５９により移送されて、アルミニウム回収缶１６０に集積され、残ダスト回収ホッパー１５７から排出された基板類及び裁断線類を主体とする残ダストは残ダスト移送コンベア１６１により移送されて残ダスト回収缶１６２に集積される。
【００５６】
図１０に示すように、重液選別装置１５には、第１の重液浮遊ダストＣを第１の重液より比重の小さな第３の重液中に投入し、プラスチック類とゴム類に選別する第３の重液選別手段１６３が設けられている。ここで、第３の重液選別手段１６３は、プラスチック類を主体とする第３の重液浮遊ダスト、及びゴム類を主体とする第３の重液沈降ダストに選別する第３の重液を貯留する第３重液選別機１６４と、第３の重液沈降ダスト及び第３の重液浮遊ダストをそれぞれ移動させながら第３の重液を分離して第３の重液沈降ダスト及び第３の重液浮遊ダストをそれぞれ排出すると共に、分離した第３の重液を第３の重液選別機１６４に戻す第３の重液回収機１６５を有している。なお、第３の重液は、例えば、重質剤の一例であるマグネタイトを水中に均一に分散させて、例えば、比重値１．６〜１．７に調整したものである。
【００５７】
ここで、第３の重液選別機１６４は、第１の重液選別機９４と実質的に同一の構成とすることができるので、同一の構成部材には同一の符号を付して詳細な説明は省略する。また、第３の重液回収機１６５は、実質的に第１の重液回収機９５から第１の屑線回収部１２７を除いた構成とすることができるので、同一の構成部材には同一の符号を付して詳細な説明は省略する。更に、第３の重液回収機１６５に設けられた第２及び第３の振動トラフを有する第３の振動トラフ群１６６も、第１の重液回収機９５に設けられた第１の振動トラフ群１１３と実質的に同一の構成とすることができるので、同一の構成部材には同一の符号を付して詳細な説明は省略する。
【００５８】
このような構成とすることにより、第３の振動トラフ群１６６の下流端から第３の重液が除去された第３の重液浮遊ダストＧ及び第３の重液沈降ダストＨをそれぞれ分離して排出することができる。また、第３の重液浮遊ダスト及び第３の重液沈降ダストと共に排出された第３の重液を回収して第３重液選別機１６４で再使用することができると共に、第３の重液浮遊ダスト及び第３の重液沈降ダストの水洗に使用した水も回収して再使用することができる。
なお、図１０に示すように、第３の重液選別手段１６３には、第３の振動トラフ群１６６から排出された第３の重液浮遊ダストＧを受け入れて移送する第３の重液浮遊ダスト移送コンベア１６７と、第３の重液沈降ダストＨを移送する第３の重液沈降ダスト移送コンベア１６８がそれぞれ設けられ、移送された第３の重液浮遊ダストは第３の重液浮遊ダスト回収缶１６９に、移送された第３の重液沈降ダストＨは第３の重液沈降ダスト回収缶１７０にそれぞれ集積されるようになっている。
【００５９】
次に、本発明の第１の実施の形態に係るシュレッダーダストの処理方法について説明する。
［第１工程］
図２に示すように、原料ダストを原料供給ホッパー１６に供給して、原料フィーダー１７により原料ダストを原料移送コンベア１８に送り込む。ここで、原料フィーダー１７により送り込む原料ダストの重量は、シュレッダーダストの処理設備１０の処理能力に応じて決定する。原料移送コンベア１８に送り込まれた原料ダストは、篩分装置１１に供給され、先ず１４ｍｍ未満のダストを除去する。次いで、篩分装置１１では、１０〜１００ｍｍの塊状ダストが選別されて塊状ダストコンベア３２に排出される。更に、篩分装置１１では、１００ｍｍを超える粗大ダストが排出される。
排出された粗大ダストは粗大ダストコンベア３３で移送中に、金属類（例えば、アルミニウム、亜鉛、銅、ステンレス等）と、プラスチック類（例えば、ポリエステル、塩化ビニル等）、及びゴム類に手選別する。また、塊状ダストコンベア３２で移送中の塊状ダストには、風力選別手段４５により空気が吹き付けられ表面に付着している土砂を主体とする微細ダストが吹き飛ばされ、塊状ダストコンベア３２からは微細ダストが表面から除去された塊状ダストＡが排出される。
【００６０】
［第２工程］
図４に示すように、微細ダストが表面から除去された塊状ダストＡは水と共に水選別手段１２のドラム式水選別機６８に供給される。ドラム式水選別機６８に供給された塊状ダストＡは、水より軽い軽プラスチック類を主体とする軽量ダストは水に浮遊するので、堰５７を越えて外部に水と共に排出することができ、水と共に排出した軽量ダストは軽プラスチック類回収手段５５に移送される。一方、プラスチック類、ゴム類、基板類、裁断線類、アルミニウム、及び非鉄金属類を主体とする重量ダストは水より重いため底に沈み、リフター６１で掻き上げられ水と共に上方に移送され重力の作用で排出シュート６７の開口部６５内に落下し排出シュート６７内を移動して排出口６６から取り出すことができ、水切り手段５６に移送される。
【００６１】
ここで、軽プラスチック類回収手段５５の縦ウェッジワイヤスクリーン６９の上流側に水と共に軽量ダストを供給すると、水は容易に縦ウェッジワイヤスクリーン６９を通過し、このとき、混入している土砂及び綿屑を含む繊維状物も水と共に縦ウェッジワイヤスクリーン６９を通過する。このため、主に軽プラスチック類が篩面６９ａ上に分離され、縦ウェッジワイヤスクリーン６９の下流側から排出される。排出された軽プラスチック類は振動篩７３を介して軽プラスチック類回収缶７４内に集積される。軽プラスチック類には塩化ビニール系プラスチックは含まれないため、例えば、固形化し燃料として利用する。
【００６２】
一方、水と共に水切り手段５６に設けられた第１の振動トラフ８６の上流側に排出された重量ダストは、第１の振動トラフ８６の底部８９を下流側に向かって移動し、そのとき、水洗水シャワー８５から水が供給されて重量ダストの表面が洗浄され土砂を主体とする微細ダストは水と共に第１の振動トラフ８６を通過して、第１の振動トラフ８６の下流側には微細ダストが除去された重量ダストＢが到達して下流端から排出される。
なお、軽プラスチック類回収手段５５及び水切り手段５６で回収された水は水貯留槽７２に移送され、土砂を主体とする異物が除去されてから、投入シュート６３、排出シュート６７、及び水洗水シャワー８５に供給され再使用される。
【００６３】
［第３工程］
次いで、重量ダストＢは、図７に示すように、重液選別装置１５に設けられた第１の重液選別手段１３の第１の重液選別機９４に供給され、プラスチック類及びゴム類を主体とする第１の重液浮遊ダスト、並びに基板類、裁断線類、アルミニウム、及び非鉄金属類とを主体とする第１の重液沈降ダストに選別される。そして、第１の重液沈降ダスト及び第１の重液浮遊ダストはそれぞれ第１の重液と共に第１の重液選別機９４から排出されて第１の重液回収機９５に設けられた第１の振動トラフ群１１３の重液分離部１０９に供給される。重液分離部１０９では、受け入れた第１の重液浮遊ダスト及び第１の重液沈降ダストから第１の重液の大半が分離される。そして、第１の重液が残留した状態の第１の重液浮遊ダスト及び第１の重液沈降ダストは下流側のダスト水洗部１１２に送り出され、水洗されながら下流側に向けて移動される。このとき、水洗に使用した水は残留していた第１の重液と共に第１の振動トラフ群１１３を通過し、第１の振動トラフ群１１３の下流端からは第１の重液と水が除去された第１の重液浮遊ダストＣ及び第１の重液沈降ダストＤがそれぞれ分離して排出される。
【００６４】
なお、重液分離部１０９で分離された第１の重液は重液タンク１１９に供給され、投入シュート１０４及び排出シュート１０８に供給され再使用される。また、ダスト水洗部１１２で分離され水で希釈された第１の重液は、第１の屑線回収部１２７により混入した屑線が除去され、希釈重液タンク１２８に一時貯留されてから重質剤回収部１３０でマグネタイトが分離され、マグネタイトはエーキンス１３４により重液タンク１１９に送られる。一方、マグネタイトが回収された後の希釈された第１の重液、すなわち実質的に水は水貯留タンク１３８に蓄えられ、水洗水シャワー１１０、１１１に供給されて再使用される。
【００６５】
ここで、第１の屑線回収部１２７に設けられた横ウェッジワイヤスクリーン１２５の篩面１２５ｃは、図８（Ａ）に示すように下方に凸の湾曲となっているので、篩面１２５ｃを上流側の傾斜角度の大きな高角傾斜部Ｘ、中流域の傾斜角度が徐々に減少する中角傾斜部Ｙに大別ができる。このため、屑線が混入した希釈された第１の重液は、先ず上流側の高角傾斜部Ｘで受け止められ、希釈された第１の重液のほとんどは横ウェッジワイヤスクリーン１２５を通過し篩面１２５ｃには裁断線類が取り残される。そして、取り残された裁断線類は傾斜角度の大きな高角傾斜部Ｘを下流側に向かって移動し中角傾斜部Ｙに進入する。このとき、屑線の間に存在している希釈された第１の重液は横ウェッジワイヤスクリーン１２５を通過するので、裁断線類の間の希釈された第１の重液は徐々に減少する。
【００６６】
中角傾斜部Ｙでも屑線は下流側に向かって移動して行くが、中角傾斜部Ｙの傾斜角度は徐々に小さくなるので、中角傾斜部Ｙに進入した裁断線類の移動速度が徐々に減少する。そして中角傾斜部Ｙでも屑線の間に存在している希釈された第１の重液の減少が促進される。そして、希釈された第１の重液が十分に除去された屑線は、中角傾斜部Ｙから押し出される。
【００６７】
第１の重液沈降ダストＤは、図９に示すように、重液選別装置１５に設けられた第２の重液選別手段１４の第２の重液選別機１４７に供給され、基板類、裁断線類、及びアルミニウムを主体とする第２の重液浮遊ダスト、並びに非鉄金属類を主体とする第２の重液沈降ダストに選別される。そして、第２の重液沈降ダスト及び第２の重液浮遊ダストはそれぞれ第２の重液と共に第２の重液選別機１４７から排出されて第２の重液回収機１４８に設けられた第２の振動トラフ群１５０の重液分離部１０９に供給される。重液分離部１０９では、受け入れた第２の重液浮遊ダスト及び第２の重液沈降ダストから第２の重液の大半が分離される。そして、第２の重液が残留した状態の第２の重液浮遊ダスト及び第２の重液沈降ダストは下流側のダスト水洗部１１２に送り出され、水洗されながら下流側に向けて移動される。このとき、水洗に使用した水は残留していた第２の重液と共に第２の振動トラフ群１５０を通過し、第２の振動トラフ群１５０の下流端からは第２の重液と水が除去された第２の重液浮遊ダストＥ及び第２の重液沈降ダストＦがそれぞれ分離して排出される。
【００６８】
重液分離部１０９で分離された第２の重液は重液タンク１１９に供給され、投入シュート１０４及び排出シュート１０８に供給され再使用される。また、ダスト水洗部１１２で分離され水で希釈された第２の重液は、第２の屑線回収部１４９により混入した屑線が除去され、希釈重液タンク１２８に一時貯留されてから重質剤回収部１３０でフェロシリコンが分離され、フェロシリコンはエーキンス１３４により重液タンク１１９に送られる。
一方、フェロシリコンが回収された後の希釈された第２の重液、すなわち実質的に水は水貯留タンク１３８に蓄えられ、水洗水シャワー１１０、１１１に供給されて再使用される。なお、屑線を除去する第２の屑線回収部１４９の作用は第１の屑線回収部１２７の作用と実質的に同一であるので説明は省略する。
【００６９】
第２の振動トラフ群１５０から排出された第２の重液沈降ダストＦは、第２の沈降ダスト回収ホッパー１５２で受けられて第２の沈降ダスト移送コンベア１５３に排出され、第２の沈降ダスト回収缶１５４に移送される。なお、第２の重液沈降ダストＦは、比重値からアルミニウムより重い金属類なので、必要に応じて磁力選別機及び渦流選別機で更に処理して、金属種別、例えば、ステンレス、銅、亜鉛、真鍮等に選別する。
一方、第２の重液浮遊ダストＥは、第２の浮遊ダスト回収ホッパー１５１で受けられてから第２の浮遊ダスト移送コンベア１５５を介して渦流選別機１５８に供給され、選別されたアルミニウムはアルミニウム移送コンベア搬送１５９でアルミニウム回収缶１６０に移送されて集積される。なお、アルミニウムが選別された後の残ダストは、残ダスト移送コンベア１６１により移送されて残ダスト回収缶１６２に集積される。
【００７０】
第１の重液浮遊ダストＣは、図１０に示すように、重液選別装置１５に設けられた第３の重液選別手段１６３の第３の重液選別機１６４に供給され、プラスチック類を主体とする第３の重液浮遊ダスト、及びゴム類を主体とする第３の重液沈降ダストに選別される。そして、第３の重液沈降ダスト及び第３の重液浮遊ダストはそれぞれ第３の重液と共に第３の重液選別機１６４から排出されて第３の重液回収機１６５に設けられた第３の振動トラフ群１６６の重液分離部１０９に供給される。重液分離部１０９では、受け入れた第３の重液浮遊ダスト及び第３の重液沈降ダストから第３の重液の大半が分離される。そして、第３の重液が残留した状態の第３の重液浮遊ダスト及び第３の重液沈降ダストは下流側のダスト水洗部１１２に送り出され、水洗されながら下流側に向けて移動される。このとき、水洗に使用した水は残留していた第３の重液と共に第３の振動トラフ群１６６を通過し、第３の振動トラフ群１６６の下流端からは第３の重液と水が除去された第３の重液浮遊ダストＧ及び第３の重液沈降ダストＨがそれぞれ分離して排出される。
【００７１】
なお、重液分離部１０９で分離された第３の重液は重液タンク１１９に供給され、投入シュート１０４及び排出シュート１０８に供給され再使用される。また、ダスト水洗部１１２で分離され水で希釈された第３の重液は、希釈重液タンク１２８に一時貯留されてから重質剤回収部１３０でマグネタイトが分離され、マグネタイトはエーキンス１３４により重液タンク１１９に送られる。一方、マグネタイトが回収された後の希釈された第３の重液、すなわち実質的に水は水貯留タンク１３８に蓄えられ、水洗水シャワー１１０、１１１に供給されて再使用される。
第３の振動トラフ群１６６から排出された第３の重液浮遊ダストＧは第３の重液浮遊ダスト移送コンベア１６７により第３の重液浮遊ダスト回収缶１６９に移送され集積される。また、第３の重液沈降ダストＨは第３の重液沈降ダスト移送コンベア１６８により第３の重液沈降ダスト回収缶１７０に移送されて集積される。ここで、第３の重液浮遊ダストは比重値からプラスチック類を主体とし、第３の重液沈降ダストは比重値からゴム類を主体とするので、それぞれ固形化し燃料として利用する。
【００７２】
図１１に示すように、本発明の第２の実施の形態に係るシュレッダーダストの処理方法を適用するシュレッダーダストの処理設備１７１は、磁着分が除去され、プラスチック類、ゴム類、土砂、ガラス類、及び裁断線類を含む金属類を主体とし、更に前記金属類には裁断線類を含むシュレッダーダスト（以下、原料ダストという）から粒径の上限が１００ｍｍ、粒径の下限が１４ｍｍの塊状ダストを選別する篩分装置１１を有している。
また、シュレッダーダストの処理設備１７１は、塊状ダストを受け入れ、塊状ダストを水中に分散させて比重が１以下の軽プラスチック類を主体とする軽量ダスト、及び比重が１を超えるプラスチック類、ゴム類、基板類、及び裁断線類を含む金属類を主体とする重量ダストとに分離する水選別手段１２を有している。
更に、シュレッダーダストの処理設備１７１は、重量ダストを受け入れ、重量ダストを第１の重液中に供給して浮遊する第１の重液浮遊ダスト及び沈降する第１の重液沈降ダストに選別する第１の重液選別手段１７４と、第１の重液浮遊ダストを受け入れ、第２の重液中に供給して浮遊する第２の重液浮遊ダスト及び沈降する第２の重液沈降ダストに選別する第２の重液選別手段１７５と、第２の重液沈降ダストを受け入れてアルミニウムを選別する渦流選別機１７６と、第２の重液浮遊ダストを受け入れてプラスチック類とゴム類に選別する第３の重液選別手段１７７を有している。
【００７３】
ここで、第１の重液選別手段１７４は、重量ダストＢを第１の重液中に分散させて、プラスチック類、ゴム類、基板類、裁断線類、及びアルミニウムを主体とする第１の重液浮遊ダストと、非鉄金属類を主体とする第１の重液沈降ダストに選別する第１の重液選別機１７８と、第１の重液沈降ダスト及び第１の重液浮遊ダストをそれぞれ移動させながら第１の重液を分離して第１の重液沈降ダスト及び第１の重液浮遊ダストをそれぞれ排出すると共に、分離した第１の重液中に混在している裁断線類中の被覆が除去された屑線を捕集してから第１の重液を第１の重液選別機１７８に戻す第１の重液回収機１７９を有している。なお、第１の重液は、例えば、重質剤の一例であるフェロシリコンを水中に均一に分散させて、比重値を３に調整したものである。また、第１の重液選別機１７８及び第１の重液回収機１７９の構成は、それぞれ第１の重液選別機９４及び第１の重液回収機９５と同一の構成とすることができるので、詳細な説明は省略する。
【００７４】
また、第２の重液選別手段１７５は、第１の重液浮遊ダストを第２の重液中に分散させて、プラスチック類及びゴム類を主体とする第２の重液浮遊ダストと、基板類、裁断線類、及びアルミニウムを主体とする第２の重液沈降ダストとに選別する第２の重液選別機１８０と、第１２重液沈降ダスト及び第２の重液浮遊ダストをそれぞれ移動させながら第２の重液を分離して第２の重液沈降ダスト及び第２の重液浮遊ダストをそれぞれ排出すると共に、分離した第２の重液中に混在している裁断線類中の被覆が除去された屑線を捕集してから第２の重液を第２の重液選別機１８０に戻す第２の重液回収機１８１を有している。なお、第２の重液は、例えば、重質剤の一例であるマグネタイトを水中に均一に分散させて、比重値を１．５〜２の範囲の特定値に調整したものである。また、第２の重液選別機１８０及び第２の重液回収機１８１の構成は、それぞれ第１の重液選別機９４及び第１の重液回収機９５と同一の構成とすることができるので、詳細な説明は省略する。
【００７５】
また、第３の重液選別手段１７７は、第２の重液浮遊ダストを第３の重液中に分散させて、プラスチック類を主体とする第３の重液浮遊ダストと、ゴム類を主体とする第３の重液沈降ダストに選別する第３重液選別機１８２と、第３の重液沈降ダスト及び第３の重液浮遊ダストをそれぞれ移動させながら第３の重液を分離して第３の重液沈降ダスト及び第３の重液浮遊ダストをそれぞれ排出すると共に、分離した第３の重液を第３の重液選別機１８２に戻す第３の重液回収機１８３を有している。なお、第３の重液は、例えば、重質剤の一例であるマグネタイトを水中に均一に分散させて、例えば、比重値１．５に調整したものである。また、第３の重液選別機１８２及び第３の重液回収機１８３の構成は、それぞれ第１の重液選別機９４及び第１の重液回収機９５と同一の構成とすることができるので、詳細な説明は省略する。
【００７６】
次に、本発明の第２の実施の形態に係るシュレッダーダストの処理方法について説明するが、第１及び第２工程は、第１の実施の形態に係るシュレッダーダストの処理方法と同一であるので、第３工程についてのみ説明する。
［第３工程］
図１１に示すように、重量ダストＢは、第１の重液選別手段１７４の第１の重液選別機１７８に供給され、プラスチック類、ゴム類、基板類、裁断線類、及びアルミニウムを主体とする第１の重液浮遊ダストと、非鉄金属類を主体とする第１の重液沈降ダストに選別される。そして、第１の重液沈降ダスト及び第１の重液浮遊ダストはそれぞれ第１の重液と共に第１の重液選別機１７８から排出されて第１の重液回収機１７９に供給され、第１の重液の大半が分離されてから水洗され、水切りされて排出される。排出された第１の重液浮遊ダストは第２の重液選別手段１７５に送られ、第１の重液沈降ダストは回収される。
なお、第１の重液沈降ダストは、比重値からアルミニウムより重い非鉄金属類（比重が３以上）なので、磁力選別機及び渦流選別機を利用して更に処理することにより、金属種別、例えば、ステンレス、銅、亜鉛、真鍮等に選別する。
【００７７】
第１の重液浮遊ダストは、第２の重液選別手段１７５の第２の重液選別機１８０でプラスチック類及びゴム類を主体とする第２の重液浮遊ダストと、基板類、裁断線類、及びアルミニウムを主体とする第２の重液沈降ダストに選別される。そして、第２の重液沈降ダスト及び第２の重液浮遊ダストはそれぞれ第２の重液と共に第２の重液選別機１８０から排出されて第２の重液回収機１８１に供給され、第２の重液の大半が分離されてから水洗され、水切りされて排出される。排出された第２の重液沈降ダストは渦流選別機１７６に供給され、アルミニウムと基板類及び裁断線類に分離されそれぞれ集積される。一方、第２の浮遊沈降ダストは、第３の重液選別手段１７７に送られる。
【００７８】
第２の重液浮遊ダストは、第３の重液選別手段１７７の第３の重液選別機１８２でプラスチック類を主体とする第３の重液浮遊ダストと、ゴム類を主体とする第３の重液沈降ダストに選別される。そして、第３の重液沈降ダスト及び第３の重液浮遊ダストはそれぞれ第３の重液と共に第３の重液選別機１８２から排出されて第２の重液回収機１８３に供給され、第３の重液の大半が分離されてから水洗され、水切りされて排出される。排出された第３の重液浮遊ダストは比重値からプラスチック類を主体とし、第３の重液沈降ダストは比重値からゴム類を主体とするので、それぞれ固形化し燃料として利用する。
【００７９】
以上、本発明の実施の形態を説明したが、本発明は、この実施の形態に限定されるものではなく、発明の要旨を変更しない範囲での変更は可能であり、前記したそれぞれの実施の形態や変形例の一部又は全部を組み合わせて本発明のシュレッダーダストの処理設備を構成する場合も本発明の権利範囲に含まれる。
例えば、塊状ダストの粒径範囲を１４〜１００ｍｍとしたが、粒径の上限を１００ｍｍ以上で１５０ｍｍ以下の範囲に、粒径の下限を１０ｍｍ以上で１５ｍｍ以下の範囲にしてもよい。また、洗浄水タンクと水循環槽を連通させて、洗浄水タンクで過剰となった洗浄水を水循環槽に供給して洗浄水の経済的な再利用を行うようにしてもよい。
【図面の簡単な説明】
【００８０】
【図１】本発明の第１の実施の形態に係るシュレッダーダストの処理方法の工程説明図である。
【図２】同シュレッダーダストの処理方法を適用する処理設備の篩分装置及び風選別手段の説明図である。
【図３】同処理設備の篩分装置に設けられた回転篩の説明図である。
【図４】同処理設備の水選別手段の説明図である。
【図５】（Ａ）は同処理設備の軽プラスチック選別手段に設けられたウェッジワイヤスクリーンの部分側面図、（Ｂ）は部分正面図、（Ｃ）は（Ｂ）のＰ−Ｐ矢視断面図である。
【図６】（Ａ）、（Ｂ）はそれぞれ同処理設備の水切り手段の部分平面図、部分断面図である。
【図７】同処理設備の重液選別装置に設けられた第１の重液選別手段の説明図である。
【図８】（Ａ）、（Ｂ）はそれぞれ同処理設備の第１の重液選別手段に設けられた縦ウェッジワイヤスクリーンの部分側面図、部分平面図である。
【図９】同処理設備の重液選別装置に設けられた第２の重液選別手段の説明図である。
【図１０】同処理設備に設けられた第３の重液選別手段の説明図である。
【図１１】本発明の第２の実施の形態に係るシュレッダーダストの処理方法の工程説明図である。
【符号の説明】
【００８１】
１０：シュレッダーダストの処理設備、１１：篩分装置、１２：水選別手段、１３：第１の重液選別手段、１４：第２の重液選別手段、１５：重液選別装置、１６：原料供給ホッパー、１７：原料フィーダー、１８：原料移送コンベア、１９：原料ダスト供給手段、２０：鉄片分離機、２１：鉄片回収缶、２２：回転篩、２３：篩部、２４：第１篩部、２４ａ：孔、２５：第２篩部、２６：排出部、２７：カバー、２８、２９、３０：排出口、３０ａ：短管、３０ｂ：邪魔板、３１：ダストコンベア、３２：塊状ダストコンベア、３３：粗大ダストコンベア、３４：ダスト回収缶、３５：プラスチック回収缶、３６：ゴム回収缶、３７：裁断線類回収缶、３７ａ：金属類回収缶、金属類回収缶、３８：プッシュファン、３９：空気排出管、４０：サイクロン、４１：微細ダスト回収缶、４２：排気ファン、４３：塊状ダスト供給ホッパー、４４：搬送フィーダー、４５：風力選別手段、４６：排出口、４７：排出部、４８：フード、４９：プッシュファン、５０：空気取り出し管、５１：サイクロン、５２：排気ファン、５３：微細ダスト回収缶、５５：軽プラスチック類回収手段、５６：水切り手段、５７、５８：堰、５９：支持部材、６０：選別容器、６１：リフター、６２：開口部、６３：投入シュート、６４受け入れ口、６５：開口部、６６：排出口、６７：排出シュート、６８：ドラム式水選別機、６９：縦ウェッジワイヤスクリーン、６９ａ：篩面、６９ｂ：ウェッジワイヤ、６９ｃ：支持部材、７０：篩枠体、７１：排水管、７２：水貯留槽、７３：振動篩、７４：軽プラスチック類回収缶、７５：異物掻き上げ機、７６：異物排出コンベア、７７：異物回収缶、７８：水回収ポンプ、７９：投入口、８０：水循環配管、８１：水位計、８２：開閉弁、８３：水源、８４：給水管、８５：水洗水シャワー、８６：第１の振動トラフ、８７：水回収部、８８：排水管、８９：底部、９０：開口部、９１：小孔、９２：第１分岐管、９３：第２分岐管、９４：第１の重液選別機、９５：第１の重液回収機、９６、９７：堰、９８：支持部材、９９：選別容器、１００：リフター、１０１：重量ダスト移送コンベア、１０２：受け入れ口、１０３：開口部、１０４：投入シュート、１０５：受け入れ口、１０６：開口部、１０７：排出口、１０８：排出シュート、１０９：重液分離部、１１０、１１１：水洗水シャワー、１１２：ダスト水洗部、１１３：第１の振動トラフ群、１１４、１１５：排出部、１１６：回収部、１１７：重液回収管、１１８：リフター、１１９：重液タンク、１２０：重液ポンプ、１２１：重液輸送管、１２１ａ：分岐配管、１２２：重液供給弁、１２３：重液供給管、１２４：希釈重液管、１２５：横ウェッジワイヤスクリーン、１２５ａ：ウェッジワイヤ、１２５ｂ：支持部材、１２５ｃ：篩面、１２６：篩枠体、１２７：第１の屑線回収部、１２８：希釈重液タンク、１２９：重液回収ポンプ、１３０：重質剤回収部、１３１：スラリー調製タンク、１３２：脱磁機、１３３：スクリュー、１３４：エーキンス、１３４ａ：戻し配管、１３６：重質剤投入ホッパー、１３７：輸送管、１３８：水貯留タンク、１３９：水供給ポンプ、１４０：給水管、１４１：連通管、１４２：水面レベル計、１４３：開閉弁、１４４：水源、１４５：導水管、１４６：バイパス管、１４７：第２の重液選別機、１４８：第２の重液回収機、１４９：第２の屑線回収部、１５０：第２の振動トラフ群、１５１：第２浮遊ダスト回収ホッパー、１５２：第２沈降ダスト回収ホッパー、１５３：第２沈降ダスト移送コンベア、１５４：第２沈降ダスト回収缶、１５５：第２浮遊ダスト移送コンベア、１５６：アルミニウム回収ホッパー、１５７：残ダスト回収ホッパー、１５８：渦流選別機、１５９：アルミニウム移送コンベア搬送、１６０：アルミニウム回収缶、１６１：残ダスト移送コンベア、１６２：残ダスト回収缶、１６３：第３の重液選別手段、１６４：第３の重液選別機、１６５：第３の重液回収機、１６６：第３の振動トラフ群、１６７：第３の浮遊ダスト移送コンベア、１６８：第３の沈降ダスト移送コンベア、１６９：第３の浮遊ダスト回収缶、１７０：第３の沈降ダスト回収缶、１７１：シュレッダーダストの処理設備、１７４：第１の重液選別手段、１７５：第２の重液選別手段、１７６：渦流選別機、１７７：第３の重液選別手段、１７８：第１の重液選別機、１７９：第１の重液回収機、１８０：第２の重液選別機、１８１：第２の重液回収機、１８２：第３の重液選別機、１８３：第３の重液回収機
【図１】
2006181464.tif 000003
【図２】
2006181464.tif 000004
【図３】
2006181464.tif 000005
【図４】
2006181464.tif 000006
【図５】
2006181464.tif 000007
【図６】
2006181464.tif 000008
【図７】
2006181464.tif 000009
【図８】
2006181464.tif 000010
【図９】
2006181464.tif 000011
【図１０】
2006181464.tif 000012
【図１１】
2006181464.tif 000013